(57)【要約】  【課題】  電子機器の操作が苦手な人でも一つの特定ラジオ放送局を簡単な操作で確実に受信できる。  【解決手段】  ラジオ受信機１の記憶部５にラジオ電波を発する一つの特定放送局の複数の周波数情報が記憶されており、ラジオ受信機１の電源がオン状態になったことに応答して制御部４が複数の各周波数における受信電圧を検出する受信電圧検出処理と、それらの受信電圧のうち最も大きな受信電圧を検出する最大受信電圧検出処理と、検出された最大受信電圧に係る周波数に基づいて選局部１０を操作して当該周波数に同調させる選局処理とを行う。【選択図】  図１
2010124052.tif 000002
【特許請求の範囲】
【請求項１】
ラジオ電波を受信する受信部と、周波数を選局する選局部と、選局された信号を増幅する増幅部と、音声出力部とを備えたラジオ基本構成部と、ラジオ電波を発する一つの特定放送局の複数の周波数情報が記憶された記憶部と、制御部とを備え、
ラジオ受信機の電源がオン状態になったことに応答して、前記制御部が、前記複数の周波数情報に基づいて周波数を変化させて前記複数の各周波数における受信電圧を検出する受信電圧検出処理と、それらの受信電圧のうち最も大きな受信電圧を検出する最大受信電圧検出処理と、検出された最大受信電圧の周波数に基づいて当該周波数に同調させる選局処理とを行うことを特徴とする、特定放送局に対応したラジオ受信機。
【請求項２】
請求項１に記載の特定放送局に対応したラジオ受信機において、前記特定放送局がＮＨＫラジオ第１放送であり、前記複数の周波数が日本国内の各地域のＮＨＫラジオ第１放送局が発する周波数である、特定放送局に対応したラジオ受信機。
【請求項３】
請求項１から請求項２のいずれか一項に記載の特定放送局に対応したラジオ受信機において、前記制御部が前記各処理に加えて、前記最大受信電圧に係る周波数を前記記憶部に記憶する周波数記憶処理を行なう、特定放送局に対応したラジオ受信機。
【請求項４】
請求項３に記載の特定放送局に対応したラジオ受信機において、前記各処理に加えて前記制御部が、前回使用時に記憶された前記最大受信電圧に対応する周波数を選局する前回選局再現処理と、その選局された周波数の受信電圧を検出する受信電圧検出処理と、その検出された受信電圧を所定基準電圧と大小比較することに基づいて前回の周波数を選局するか否かを判別する判別処理と、前記大小比較によって選局すべきと判別された場合に前記最大受信電圧に対応する周波数を継続して受信する受信処理を行なう、特定放送局に対応したラジオ受信機。
【請求項５】
請求項４に記載の特定放送局に対応したラジオ受信機において、前記判別処理の前記大小比較によって選局すべきでないと判別された場合は、前記請求項１に記載の前記受信電圧検出処理、前記最大受信電圧検出処理、及び前記選局処理を再び行う、特定放送局に対応したラジオ受信機。
【請求項６】
請求項５に記載の特定放送局に対応したラジオ受信機において、前記記憶部に代えて、複数のラジオ放送局毎にそれらの放送局の複数の周波数情報を全て記憶した複数放送局記憶型の記憶部を備え、ユーザが簡単に触れることができないラジオ受信機の位置に選択手段を配設し、製造メーカ又は販売者が前記選択手段によって前記記憶部に記憶された複数のラジオ放送局のうち一つの放送局を選択することによって前記ラジオ受信機が受信する一つの特定放送局を決定するように構成した、特定放送局に対応したラジオ受信機。
【請求項７】
請求項５に記載の特定放送局に対応したラジオ受信機において、前記記憶部に代えて、複数のラジオ放送局毎にそれらの放送局の複数の周波数情報を全て記憶した複数放送局記憶型の記憶部を備え、ユーザが簡単に操作できるラジオ受信機の位置に選択手段を配設し、ユーザが自らの判断で前記選択手段によって前記記憶部に記憶された複数のラジオ放送局のうち一つの放送局を選択することによって前記ラジオ受信機が受信する一つの特定放送局を決定するように構成した、特定放送局に対応したラジオ受信機。
【請求項８】
請求項５から請求項７のいずれか一項に記載の特定放送局に対応したラジオ受信機において、前記ラジオ受信機が蓋部と本体箱部とを有し、前記蓋部を開いたときに電源がオンになり、前記蓋部を閉じたときに電源がオフになる位置に前記ラジオ受信機の電源スイッチが配設されている、特定放送局に対応したラジオ受信機。
【請求項９】
請求項８に記載の特定放送局に対応したラジオ受信機において、前記蓋部の内側面に収容部を設け、前記本体箱部内にアンテナ部を設け、前記本体箱部の操作面にスピーカ部と小物入れを設けた、特定放送局に対応したラジオ受信機。
【請求項１０】
請求項５から請求項９のいずれか一項に記載の特定放送局に対応したラジオ受信機において、前記ラジオ受信機がユーザの押圧操作によってスピーカ部の音量を変化できる複数の音量スイッチを備えており、電源がオフ状態になった後に再び電源がオンになった時に前記音量スイッチの操作に係わらず、標準の音量に一度リセットする、特定放送局に対応したラジオ受信機。
【請求項１１】
請求項５に記載の特定放送局に対応したラジオ受信機において、前記ラジオ受信機内にアンテナ部を回動させる回動機構部を設け、前記制御部が行う処理が、前記アンテナ部を回動させて受信電圧が最も大きなアンテナ位置を探すアンテナ位置探索処理を含む、特定放送局に対応したラジオ受信機。
【発明の詳細な説明】
【技術分野】
【０００１】
本発明はラジオ受信機に関し、操作が簡単で電子機器の操作が苦手な人に好適なラジオ受信機に関する。
【背景技術】
【０００２】
電子及びコンピュータ技術の進歩によって、ラジオ受信機は年々高性能で高機能な電気製品となっている。受信した音声を各種の小型携帯型記憶媒体に記憶することは当然のこととして、近年ではインターネット接続機能を備えたラジオも提案されている。
例えば、下記特許文献１には、インターネット放送局から提供された音楽などの情報をインターネットから携帯電話機やパソコンなどに取り込み、その蓄積情報を転送装置により無線で使用者が所持するヘッドホンやアダプタ付きのイヤホンに転送し、使用者の都合の良いときに聞けるようにするインターネットラジオが提案されている。
【特許文献１】特開２００２−２５１１９１
【発明の開示】
【発明が解決しようとする課題】
【０００３】
しかしながら、電子機器の操作が苦手で、マニュアル等を読んでも操作方法が良く分からない人も高齢者などを中心にして多いものである。このような電子機器の操作の苦手な人が高機能ラジオ受信機を購入しても、操作ボタン等をうまく扱うことができず、ラジオを聞くことができないことが多い。
また、ラジオ放送局から遠い地方や、ビルに挟まれた住宅地など電波が届きにくい地域も日本には多く、弱い電波を選局ダイヤルで同調させる微妙な操作が必要になる。さらに、天候によってはラジオ受信機の置く位置やアンテナの向きを変える必要もある。
【０００４】
このように電子機器の操作が苦手な人にとっては、ラジオ放送局の電波を安定して聞くということが難しい場合も多く、このような課題に応える比較的安価なラジオ受信機はないのが現状である。
【０００５】
本発明は上記課題に鑑みてなされたものであり、本発明の目的は上記課題を解決できるラジオ受信機を提供することにある。
具体的な目的の一例を示すと以下の通りである。
（ａ）電子機器の操作が苦手な人であっても、その人が聞きたい一つの特定ラジオ放送局を極めて簡単な操作で安定して受信できるラジオ受信機を提供する。
（ｂ）ラジオ受信機を購入した人が住む地域を変えてもその人が好む特定放送局のラジオ放送を高品位に受信できるラジオ受信機を提供する。
（ｃ）上記（ａ）（ｂ）の目的を達成するラジオ受信機を提供する場合に、製造コストを低減できるラジオ受信機を提供する。
（ｄ）地震などの災害時に好適なラジオ受信機を提供する。
なお、上記に記載した以外の発明の課題、その解決手段及びその効果は後述する明細書内の記載において詳しく説明する。
【課題を解決するための手段】
【０００６】
本発明は多面的に表現できるが、例えば代表的なものを挙げると次のように構成したものである。なお、下記各発明において各符号は後述する実施形態との対応関係を分かりやすくするために一例として示したものであり、本発明の各構成要素は実施形態に記載した符号に係る構成に限定されないことは言うまでもない。
第１発明に係る特定放送局に対応したラジオ受信機は、ラジオ電波を受信する受信部９と、周波数を選局する選局部１０と、選局された信号を増幅する増幅部１１と、音声出力部１２とを備えたラジオ基本構成部２と、ラジオ電波を発する一つの特定放送局の複数の周波数情報が記憶された記憶部５と、制御部４とを備え、
ラジオ受信機１の電源がオン状態になったことに応答して、前記制御部４が、前記複数の周波数情報に基づいて周波数を変化させて前記複数の各周波数における受信電圧を検出する受信電圧検出処理と、それらの受信電圧のうち最も大きな受信電圧を検出する最大受信電圧検出処理と、検出された最大受信電圧の周波数に基づいて当該周波数に同調させる選局処理とを行うことを特徴とする。
ここで前記した「一つの特定放送局の複数の周波数情報」を記憶部に記憶するためには、前記一つの放送局が地域毎に異なる放送周波数を有していることが前提となる。
第１発明であれば、電源がオン状態になったことに応答して、予め設定された特定放送局の複数の周波数のうち、最も受信電圧の大きい周波数を選局できるので、ラジオを購入した消費者は選局操作（チューニング操作）を行うことなく、その特定放送局のラジオ放送をユーザのいる地域において最も聞きやすい状態で受信することができる。したがって電子機器の操作が苦手な人であっても電源スイッチを入れるだけで特定ラジオ放送局を受信でき、ラジオ放送を楽しむことができる。また、地震等の災害時に見知らぬ地域に避難した場合でもその地域の電波を最も安定した状態で受信できる。さらに、暗闇でもチューニング等の操作が不要なので、地震などの災害時の情報源用ラジオ受信機としても最適である。
【０００７】
第２発明は、前記特定放送局がＮＨＫラジオ第１放送であり、前記複数の周波数が日本国内の各地域のＮＨＫラジオ第１放送局が発する周波数であることを特徴とする。
第３発明は、前記制御部４が前記各処理に加えて、前記最大受信電圧に係る周波数を前記記憶部５に記憶する周波数記憶処理を行なうことを特徴とする。
第３発明であれば、最大受信電圧検出処理において検出できた最大受信電圧に対応する周波数を記憶しておくことによって最も受信状態の良い周波数を記憶でき、後で利用することも可能になる。
【０００８】
第４発明は、前記各処理に加えて前記制御部４が、前回使用時に記憶された前記最大受信電圧に対応する周波数を選局する前回選局再現処理と、その選局された周波数の受信電圧を検出する受信電圧検出処理と、その検出された受信電圧を所定基準電圧と大小比較することに基づいて前回の周波数を選局するか否かを判別する判別処理と、前記大小比較によって選局すべきと判別された場合に前記最大受信電圧に対応する周波数を継続して受信する受信処理を行なうことを特徴とする。
第４発明であれば、ラジオ受信機の設置位置を変化させていない場合は、前回使用時に設定された周波数が最も受信状態が良いと考えられるので、その周波数を用いることで最大受信電圧を探索する時間を省くことができ、目的とするラジオ放送を早く聞くことができる。
【０００９】
第５発明は、前記判別処理の前記大小比較によって選局すべきでないと判別された場合は、前記第１発明に記載の前記受信電圧検出処理、前記最大受信電圧検出処理、及び前記選局処理を再び行うことを特徴とする。
第５発明であれば、前回の最大受信電圧に対応する周波数によって受信状態が良くない場合は、第１発明の方法で再び最も受信電圧が高い周波数を探索するので、電源がオンになったときに周波数の探索処理を省略した場合でも、最終的には最も良い状態でラジオ放送を受信することを保証できる。
【００１０】
第６発明は、前記記憶部５に代えて、複数のラジオ放送局毎にそれらの放送局の複数の周波数情報を全て記憶した複数放送局記憶型の記憶部５を備え、ユーザが簡単に触れることができないラジオ受信機１の位置に選択手段７を配設し、製造メーカ又は販売者が前記選択手段７によって前記記憶部５に記憶された複数のラジオ放送局のうち一つの放送局を選択することによって前記ラジオ受信機１が受信する一つの特定放送局を決定するように構成したことを特徴とする。
選択手段としてはデップスイッチなどが例示できる。
また、前記複数のラジオ放送局としては、ＮＨＫラジオ第１放送、ＮＨＫラジオ第２放送、ＮＨＫ−ＦＭラジオ放送などがある。
第６発明であれば、予め、日本国において人気のある複数の放送局の周波数を記憶部に記憶しておき、製品出荷時又は販売時に行う選択手段の選択によって聞ける放送局を一つに決定することができる。したがって、販売量に応じて放送局毎にラジオ受信機を簡単に作り分けることができ、ラジオ受信機を低コストで製造販売できる。
【００１１】
第７発明は、前記記憶部５に代えて、複数のラジオ放送局毎にそれらの放送局の複数の周波数情報を全て記憶した複数放送局記憶型の記憶部５を備え、ユーザが簡単に操作できるラジオ受信機１の位置に選択手段７を配設し、ユーザが自らの判断で前記選択手段７によって前記記憶部５に記憶された複数のラジオ放送局のうち一つの放送局を選択することによって前記ラジオ受信機１が受信する一つの特定放送局を決定するように構成したことを特徴とする。
選択手段としては選択スイッチが例示でき、その選択スイッチはラジオ受信機の目立つ所に放送局名とともに配置されることが好ましい。３つの放送局の周波数を記憶した構成であれば、３つの放送局を選べる選択スイッチを設けることになる。
第７発明であれば、予め、日本国において人気のある複数の放送局の周波数を記憶部に記憶しておけば、ユーザの好きな放送局を選んで聞くことができる。
【００１２】
第８発明は、前記ラジオ受信機１が蓋部１６と本体箱部１５とを有し、前記蓋部１６を開いたときに電源がオンになり、前記蓋部１６を閉じたときに電源がオフになる位置に前記ラジオ受信機１の電源スイッチ６が配設されていることを特徴とする。
第８発明であれば、蓋部を開けるという単純な操作でラジオ受信機の電源スイッチを入れることができ、また、蓋部を閉じるという操作で電源スイッチを切ることができる。したがって電子機器の操作の苦手な人であっても感覚的に分かりやすい利点がある。
第９発明は、前記蓋部１６の内側面に収容部１９を設け、前記本体箱部１５内にアンテナ部８を設け、前記本体箱部１５の操作面２５にスピーカ部１３と小物入れ１７を設けたことを特徴とする。
前記収容部に収容できるものとしては写真、絵や鏡などが例示できる。
第９発明であれば、蓋部を閉じた状態ではスピーカ及びアンテナ部は見えず、かつ蓋部を開いた状態では写真、絵、鏡立てなどや小物入れとして機能するので、ラジオ受信機を部屋のインテリアとして利用できる可能性を高めることができる。
【００１３】
第１０発明は、前記ラジオ受信機１がユーザの押圧操作によってスピーカ部１３の音量を変化できる複数の音量スイッチ１４を備えており、電源がオフ状態になった後に再び電源がオンになった時に前記音量スイッチ１４の操作に係わらず、標準の音量に一度リセットすることを特徴とする。
なお、複数の音量スイッチとしては大、小の２種類や、大、中、小の３種類などが例示できる。
第１０発明であれば、ユーザの押圧操作によってスピーカの音量を変化できる複数の音量スイッチを備えていることによって、音量ダイヤルの操作よりも音量の調整を行いやすい。また、ラジオ受信機をオフにしたとき、一度、音量が標準音量にリセットされるのでユーザは特別な場合を除いて音量の調整を行う必要がなく、使いやすいラジオ受信機となる。
【００１４】
第１１発明は、前記ラジオ受信機１内にアンテナ部１３を回動させる回動機構部２６を設け、前記制御部４が行う処理が、前記アンテナ部１３を回動させて受信電圧が最も大きなアンテナ位置を探すアンテナ位置探索処理を含むことを特徴とする。
第１１発明であれば、前記第５発明に係る最大受信電圧の探索処理において、各放送周波数における最も受信電圧の高いアンテナ位置を検出することができ、ラジオ受信機内蔵のアンテナ位置を変えるためにラジオ受信機の向きを変える操作が不要になる。
【発明の効果】
【００１５】
以上、説明したように本発明であれば、電子機器の操作が苦手な人であっても、その人が聞きたい一つの特定ラジオ放送局を極めて簡単な操作で安定して受信できるラジオ受信機を提供できる。
【発明を実施するための最良の形態】
【００１６】
以下、本発明に係るラジオ受信機の実施形態を図面に基づき説明する。
図１は本実施形態に係るラジオ受信機の概略ブロック図、図２は周波数探索モードのフローチャートの一例、図３は前回周波数利用モードのフローチャートの一例である。
図１に示すように、このラジオ受信機１は、アンテナ部８と、ラジオ基本構成部２と、スピーカ部１３と、制御部４と、記憶部５と、電源スイッチ６と、必要に応じて設けられる放送局の選択スイッチ７とを有している。
ラジオ基本構成部２は、受信部９と選局部１０と増幅部１１と音声出力部１２とを備えている。なお、図１においてはＡ／Ｄ変換器などは省略して描いている。
ラジオ受信機１は通常のラジオ受信機の構成とは異なり、選局ダイヤルや選局用の移動針又は選局周波数表示素子などは備えていない。また、アンテナ部８は本体筐体の内部に収容されている。
【００１７】
制御部４は内部記憶装置を備えた中央処理装置（ＣＰＵ）などで構成され、本ラジオ受信機１における一連の選局処理を行う制御プログラムを記憶している。
その制御プログラムは、周波数情報に基づいて選局部１０を駆動して周波数情報と一致する周波数を選局する機能を有している。
受信部１０では放送局の周波数を受信したときに、電波の強さ（電界強度）を表すＤＣ受信電圧（ＲＳＳＩ：Receiver Signal Strength Indicator）が出力されるように構成してあり、その受信電圧は図１では図示していないＡ／Ｄ変換器を介して制御部４に入力される。
記憶部５はＲＯＭ，不揮発メモリ等で構成され、少なくとも
（１）ラジオ電波を発する一つの放送局の複数の周波数情報
（２）前回使用時の最大受信電圧に対応する放送周波数
が記憶される。
前記一つの放送局としては例えばＮＨＫラジオ第１放送が好適である。その理由は日本国内の各地域に多くの放送周波数があってどの地域でも受信状態が良いからである。また、本実施形態に係るラジオ受信機を購入する高齢者などが好んで聞く放送局と思われるからである。さらに、地域毎の放送周波数の数が多いので地震などによって近くの放送局が倒壊しても、他の放送局からの電波を聞くことができる可能性が高いこともその理由の一つである。
【００１８】
電源スイッチ６は一般的なスイッチで構成してもよい。また、後述するように蓋部の開閉に連動して動作するスイッチでもよい。さらに、電源スイッチ６をラジオ受信機１の設置状態を検出するセンサで構成して、設置状態に応答して自動的に電源がオン、又は電源がオフになるように構成してもよい。例えば、キャラクター絵の方向によって上下方向が分かる立体形のラジオ受信機１を構成し、ラジオ受信機１をキャラクター絵が立つ方向に縦置きにすれば電源がオン、キャラクター絵が寝た状態の横置きにすれば電源がオフになるように構成することもできる。
【００１９】
以下、図２に示すフローチャートに基づいて周波数探索モードの選局処理について説明する。
図２において、ラジオ受信機１（図１参照、以下同様）の製造段階における前提処理として、例えばＮＨＫラジオ第１放送の地方の放送周波数をＲＯＭ等の記憶部５に記憶しておき（ステップＳ０）、ユーザがラジオ受信機１の電源スイッチ６をオンにしたことを制御部４が検知し（ステップＳ１）、制御部４が周波数情報（周波数信号）に基づいて選局部１０を操作して前記各放送周波数を選局する（ステップＳ２）。例えば、上記の周波数信号を１つずつ順に送り、選局処理、受信電波強度の検出処理を繰返す。この処理において、受信部９はそれぞれの放送周波数における受信電波強度を受信電圧（ＲＳＳＩ）として出力し、制御部４がそれらの受信電圧を検出し（ステップＳ３）、各受信電圧値を比較してその中の最大の受信電圧を示す周波数を検出する（ステップＳ４）。そして、制御部４はその最大受信電圧の放送周波数を記憶部５に記憶し（ステップＳ５）、最大受信電圧の放送周波数に基づいて選局部１０に指令を送り、その放送周波数の選局を行う（ステップＳ６）。
【００２０】
さらに上記処理について説明する。
本実施形態のラジオ受信機は１つの特定の放送局に限定した、言わば一局専用ラジオ受信機として構成されている。
例えば、ＮＨＫラジオの第１放送においては北海道から九州・沖縄まで各地域によって放送周波数が異なる。但し、地域が離れており、混信しない地域の場合は同じ周波数が使用されている。
図４は岐阜から熊本までの各放送局の放送周波数の一例を示したものである。
図４に示す各値において［７９２岐阜  高山  １ｋ］というのは、岐阜県の高山支局７９２（ｋＨｚ）が１ｋ（Ｗ）の電波出力であることを示す。例えば、名古屋放送局７２９（ｋＨｚ）、出力１０ｋ（Ｗ）のように放送電波が強いと、近くて弱い電波の放送局よりも電波が届きやすい場合もある。また、山などの地形によって他府県の放送周波数の方が受信しやすい地域もある。従って予めＮＨＫ第１ラジオ放送の日本国の各地域における放送周波数をＲＯＭ等の記憶部５に記憶しておき、順次、各放送周波数を走査して、最も受信電圧の大きい放送周波数を受信するように設定することで安定した受信を可能にすることができる。
【００２１】
また、全国の各地域においてＮＨＫラジオ第１放送の放送周波数は決定しているので、その聞きたい放送局の全国各地の放送周波数を記憶しておけば、全国のどの地域に住居を移しても最も受信状態のよい放送周波数を自動的に検出することができる。
なお、図１に示す選択スイッチ７を回路基板等に取付けられたデップスイッチとし、製造メーカが出荷時にその選択スイッチ７を選択するように構成すれば、販売するラジオ受信機の選局できる放送局を一つの特定放送局に限定することができる。
【００２２】
次に、図３を参照しつつ前回の使用に係る周波数を利用したフローチャートについて説明する。
図３において、制御部４（図１参照）はラジオ受信機１の電源スイッチ６がオンになったことを検知し（ステップＳ２１）、記憶部５から前回の最大受信電圧の放送周波数を読み出し（ステップＳ２２）、制御部４がその放送周波数に基づいて選局部１０において選局し（ステップＳ２３）、その選局された放送周波数の受信電圧を検出する（ステップＳ２４）。
そして、検出された受信電圧を所定の基準電圧と比べて大小を比較し（ステップＳ２５）、放送周波数の受信電圧が基準電圧に比べて等しいか又は大きいと判別された場合は、そのまま受信を継続する（ステップＳ２６）。
一方、ステップＳ２５において放送周波数の受信電圧が基準電圧に比べて小さいと判別された場合は、図２に示すフローチャートのステップＳ２に戻って最大の受信電圧を示す放送周波数を探索する処理（ステップＳ２〜ステップＳ６）を再び行う。
【００２３】
所定の基準電圧は電波を良好に聞ける受信電圧の境界値に設定される。
室内に置かれるラジオ受信機の場合は携帯型とは違って載置場所は頻繁に移動されるものでない。したがってラジオ受信機の電源をオンにした時全てにおいて、図２に示す周波数探索モードを行うと時間がかかるので、通常は、前回受信時に最も受信電圧の大きかった放送周波数に一致させることが好ましい。
本実施形態の構成では、ステップＳ２５において所定の基準電圧と比較しているので前回の場合と変化がなければ即座に受信処理に移行して前回と同じように良好に聞くことができる。
【００２４】
（第２実施形態）
前記したように記憶部５（図１参照）に複数の特定放送局の複数の放送周波数を記憶しておき、選択スイッチ７によって複数の特定放送局からユーザの選択に係る一つの特定放送局を決定できるように構成してもよい。この場合、ラジオ操作面に放送局の選択スイッチ７を設け、その各選択スイッチ７には放送局名を分かりやすく記載しておくことが好ましい。なお、本実施形態において記憶される複数の特定放送局は、ＮＨＫラジオ第１放送とＮＨＫ−ＦＭラジオ放送との組み合わせのように走査する周波数領域において両者が紛れない放送局の組を選ぶことが好ましい。この実施形態でも選択スイッチ７によって一つの特定放送局に決定された後の制御部４の処理は図１及び図２に示すものが採用できる。
【００２５】
（第３実施形態）
図５は箱形のラジオ受信機の外観斜視図、図６はその箱形ラジオ受信機の蓋部を開いた状態の斜視図である。
この実施形態に係るラジオ受信機は図１に示す内部構成を備えており、上記選局処理に加えて構造的な装置構成に特徴があるものである。
図５に示すように、このラジオ受信機は綺麗な塗装が施されたほぼ立方体形の本体箱部１５に開閉自在にヒンジ部材によって蓋部１６を取り付けた構成にしてある。図６に示すように蓋部１６を開けると本体箱部１５の上面に操作面２５が形成されており、その操作面２５にスピーカ部１３、音量スイッチ１４、小物入れ１７が形成してある。また、蓋部１６の開閉状態を検出するスイッチ６が操作面２５上に設けられており、このスイッチ６を図１に示す電源スイッチ６として機能させている。
【００２６】
この実施形態では音量スイッチ１４はスピーカ部１３の奥側、即ち蓋部１６のヒンジ部材側に一列に並んで３個設けてあり、小形スイッチ１４ａが小音量用のスイッチ、中形スイッチ１４ｂが中音量用のスイッチ、大形スイッチ１４ｃが中音量用のスイッチとなっている。音量の大きさの順に対応してスイッチ押圧部の大きさが変わっているので電子機器の操作が苦手なユーザでも感覚的に分かりやすい。なお、本体箱部１５の外側側面には電源に繋ぐ電源ユニット接続端子と、イヤホンの接続端子が設けてある。
【００２７】
また、蓋部１６の内側面には四角形の４つの角の位置に対応して所定形状の金属片１８が埋め込まれている。図６では金属片１８は三角形状のものが示してある。この金属片１８の大きさに対応した４つの磁石（図示せず）が用意されており、写真、絵などを金属片１８と磁石の間に挟み込むことによって蓋部１６の内側面を写真や絵などの収容部１９として使用できるように構成してある。なお、前記収容部１９には金属片１８を設けず、鏡等を取り付ける構成を採用することもできる。
このラジオ受信機を使用するときは、蓋部１６を開けるとラジオ受信機１の電源がオンになり、蓋部１６を閉じるとラジオ受信機１の電源がオフになる。したがって、電源スイッチを操作することなく、蓋部１６を開けることでラジオを聞くことができる。
また、図５に示す蓋部１６を閉じた外観では選局ダイヤルやアンテナ部などのラジオ受信機と認識できるものは何もない。従って一見すると綺麗な小物入れという感じになるにもかかわらず、ラジオ受信機として使用できる点に意外感があり、面白い贈り物となる。さらに、蓋部１６を開いた状態では収容部１９に入った写真、絵、鏡などに目が行くのでインテリア性も兼ね備えている。
【００２８】
本発明は上記実施形態の構成に限らず、本発明の要旨の範囲内で種々の変形が可能である。
（１）本発明に係るラジオ受信機は小型携帯型ラジオで構成することもできる。その場合は蓋部を設けず、箱体部だけで構成し、電源スイッチを別途設けても良い。さらに、必要に応じて音量ダイヤルを設けても良い。
（２）図２のステップＳ５において記憶する放送周波数を最大受信電圧だけに限定せず、２番目の受信電圧の放送周波数まで、３番目の受信電圧の放送周波数まで、…、ｎ番目の受信電圧の放送周波数まで、というように最大受信電圧から高い順にｎ個を記憶することもできる。この構成では、図３のフローチャートのステップＳ２４〜Ｓ２５において記憶されたｎ個の放送周波数の受信電圧について基準電圧よりも大きいか否かを検出するとともに、それらの中で最も大きい周波数を受信するように構成すればよい。
（３）図７に示すように、円形蓋部２２と円形箱体２１とを有するラジオ受信機を構成し、そのラジオ受信機の内部又は外部にアンテナ部２０を回動する回動機構部２４を設け、図２に示す最も大きな受信電圧を検出する処理において、アンテナ部２０を回動（回転を含む）させて最も受信電圧が大きなアンテナ位置を探す処理を行い、そのアンテナ位置でアンテナ部２０を固定するように構成することもできる。アンテナ部２０は円盤などで保持された構成でもよい。
（４）ラジオ受信機に告知手段を設け、ラジオ受信機が最大の受信電圧の周波数を探索している時間中は告知手段の動作によって探索中であることをユーザに知らせるようにすることもできる。この告知手段としてはＬＥＤなどの発光素子を点滅させることや、ラジオ受信機に取り付けた液晶表示装置に「最高受信放送局を探索中です。」を表示するなどの方法がある。
【図面の簡単な説明】
【００２９】
【図１】図１は一実施形態に係るラジオ受信機の概略ブロック図である。
【図２】図２は周波数探索モードのフローチャートの一例である。
【図３】図３は前回周波数利用モードのフローチャートの一例である。
【図４】図４は特定放送局の一例としてのＮＨＫラジオ第１放送の地域毎の周波数の一部を示す図である。
【図５】図５は一実施形態に係る箱形のラジオ受信機の外観斜視図である。
【図６】図６は一実施形態に係る箱形のラジオ受信機の蓋部を開いた状態の斜視図である。
【図７】図７は他の実施形態に係る箱形のラジオ受信機の蓋部を開いた状態の斜視図である。
【符号の説明】
【００３０】
１…ラジオ受信機
２…ラジオ基本構成部
４…制御部
５…記憶部
６…電源スイッチ
７…選択スイッチ（選択手段）
８…アンテナ部
９…受信部
１０…選局部
１１…増幅部
１２…音声出力部
１３…スピーカ部
１４，１４ａ，１４ｂ，１４ｃ…音量スイッチ
１５…本体箱部
１６…蓋部
１７…小物入れ
１９…収容部
２０…アンテナ部
２４…回動機構部
２５…操作面
【図１】
2010124052.tif 000003
【図２】
2010124052.tif 000004
【図３】
2010124052.tif 000005
【図４】
2010124052.tif 000006
【図５】
2010124052.tif 000007
【図６】
2010124052.tif 000008
【図７】
2010124052.tif 000009